(57)【要約】【課題】  構造強度の高いスライドレールアセンブリを提供すること。【解決手段】  スライドレールアセンブリは第１のレール、第２のレール及びブラケット装置を含む。第２のレールは第１のレールに対して変位可能である。ブラケット装置は第１のレールに隣接するとともにブラケットを含む。ブラケットは上壁、下壁、側壁、第１の伸長部及び第２の伸長部を含む。側壁は上壁と下壁との間に接続される。第１の伸長部は上壁から延びるとともに上壁に対して屈曲され、第２の伸長部は下壁から延びるとともに下壁に対して屈曲されている。第１のレールはブラケットの上壁、下壁、側壁、第１の伸長部及び第２の伸長部により定義される支持通路に部分的に囲まれる。【選択図】  図４
2020185369.tif 000002
【特許請求の範囲】
【請求項１】
第１の壁と、第２の壁と、該第１の壁及び該第２の壁の間に接続される長手壁とを含む第１のレールと、
前記第１のレールに対して変位可能な第２のレールと、
前記第１のレールに隣接して配置されるとともにブラケットを含む第１のブラケット装置であって、該ブラケットは上壁、下壁、側壁、第１の伸長部及び第２の伸長部を含み、該側壁は該上壁と該下壁との間に接続され、該第１の伸長部は該上壁から延びるとともに該上壁に対して屈曲され、該第２の伸長部は該下壁から延びるとともに該下壁に対して屈曲されている、第１のブラケット装置と、
を含むスライドレールアセンブリであって、
前記ブラケットの上壁、下壁及び側壁は、前記第１のレールの第１の壁、第２の壁及び長手壁にそれぞれ位置的に対応し、前記ブラケットの第１の伸長部及び第２の伸長部は、前記第１のレールの第１の壁の側面及び前記第１のレールの第２の壁の側面にそれぞれ保持効果をもたらすように構成されている、スライドレールアセンブリ。
【請求項２】
前記第１のレールと前記第２のレールとの間に可動に取り付けられる第３のレールをさらに含む、請求項１に記載のスライドレールアセンブリ。
【請求項３】
前記第１のレールは端部を有し、前記第１のブラケット装置は前記第１のレールの端部に隣接して配置され、
前記スライドレールアセンブリは、前記第１のレールに隣接して配置されるが前記第１のレールの端部から離れて配置される第２のブラケット装置をさらに含む、請求項２に記載のスライドレールアセンブリ。
【請求項４】
前記第１のレールの第１の壁、第２の壁及び長手壁は共に通路を定義し、前記第３のレールは該通路内に取り付けられ、
前記スライドレールアセンブリは前記第１のレールの第１の孔及び第２の孔にそれぞれ配置される第１のブロック部材及び第２のブロック部材をさらに含み、前記ブラケットの側壁及び上壁の一方が前記第１の孔を覆い、前記ブラケットの側壁及び下壁の一方が前記第２の孔を覆う、請求項３に記載のスライドレールアセンブリ。
【請求項５】
前記第１のレールに対する前記第３のレールの変位を促進するために、前記第１のレールの通路内に配置される第１のボールベースの摺動支援装置及び第２のボールベースの摺動支援装置をさらに含み、
前記第３のレールは第３のブロック部材及び第４のブロック部材を含み、前記第１のボールベースの摺動支援装置は前端及び後端を含み、前記第１のボールベースの摺動支援装置の前端及び後端は、前記第１のブロック部材及び前記第３のブロック部材にそれぞれ位置的に対応し、前記第２のボールベースの摺動支援装置は前端及び後端を含み、前記第２のボールベースの摺動支援装置の前端及び後端は、前記第２のブロック部材及び前記第４のブロック部材にそれぞれ位置的に対応する、請求項４に記載のスライドレールアセンブリ。
【請求項６】
前記第３のレールは第１の壁と、第２の壁と、前記第３のレールの第１の壁及び第２の壁の間に接続される長手壁とを含み、前記第３のブロック部材は前記第３のレールの第１の壁に配置され、前記第４のブロック部材は前記第３のレールの第２の壁に配置され、
前記第３のレールの第１の壁、第２の壁及び長手壁は共に第２の通路を定義し、前記第２のレールは該第２の通路内に取り付けられる、請求項５に記載のスライドレールアセンブリ。
【請求項７】
前記ブラケットの第１の伸長部は前記上壁に対して実質的に垂直に屈曲され、前記ブラケットの第２の伸長部は前記下壁に対して実質的に垂直に屈曲されている、請求項１に記載のスライドレールアセンブリ。
【請求項８】
前記第１のレールの背面側に接続される補強ベースをさらに含み、該補強ベースは取り付け通路を含み、
前記ブラケットは前記側壁に接続される伸長支持部材をさらに含み、該伸長支持部材を介して前記補強ベースの取り付け通路内に取り付けられ、
前記伸長支持部材及び前記補強ベースは、それぞれ第１の位置制限部及び第２の位置制限部を有し、該第１の位置制限部及び該第２の位置制限部は互いに位置的に対応する、請求項１に記載のスライドレールアセンブリ。
【請求項９】
前端部及び後端部を有する第１のレールであって、第１のレールは第１の壁と、第２の壁と、該第１の壁及び該第２の壁の間に接続される長手壁とを含む、第１のレールと、
前端部及び後端部を有する第２のレールと、
前記第１のレールと前記第２のレールとの間に可動に取り付けられる第３のレールであって、前記第２のレールが前記第１のレールに対して伸長位置にある場合、前記第２のレールの後端部は所定の距離前記第１のレールの前端部の前にある、第３のレールと、
第１のレールの前端部に隣接して配置されるとともに、ブラケットを含む第１のブラケット装置であって、該ブラケットは上壁、下壁、側壁、第１の伸長部及び第２の伸長部を含み、該側壁は該上壁と該下壁との間に接続され、該第１の伸長部は該上壁から延びるとともに該上壁に対して第１の方向に屈曲され、該第２の伸長部は下壁から延びるとともに、該下壁に対して第２の方向に屈曲され、該第１の方向及び該第２の方向は反対方向である、第１のブラケット装置と、
を含むスライドレールアセンブリであって、
前記ブラケットの上壁、下壁及び側壁は、前記第１のレールの第１の壁、第２の壁及び長手壁にそれぞれ位置的に対応し、前記ブラケットの第１の伸長部及び第２の伸長部は、それぞれ前記第１のレールの第１の壁の側面及び前記第１のレールの第２の壁の側面に隣接する、スライドレールアセンブリ。
【請求項１０】
第１の壁と、第２の壁と、該第１の壁及び該第２の壁の間に接続される長手壁とを含む第１のレールと、
前記第１のレールに対して変位可能な第２のレールと、
第１のレールに隣接して配置されるとともにブラケットを含む第１のブラケット装置であって、該ブラケットは上壁、下壁、側壁、第１の伸長部及び第２の伸長部を含み、該側壁は該上壁と該下壁との間に接続され、該第１の伸長部は該上壁から延びるとともに該上壁に対して屈曲され、該第２の伸長部は該下壁から延びるとともに該下壁に対して屈曲される、第１のブラケット装置と、
を含むスライドレールアセンブリであって、
前記ブラケットの上壁、下壁、側壁、第１の伸長部及び第２の伸長部は共に支持通路を定義し、前記第１のレールの第１の壁、第２の壁及び長手壁は、前記ブラケットの支持通路に部分的に囲まれる、スライドレールアセンブリ。
【発明の詳細な説明】
【技術分野】
【０００１】
本発明はスライドレールに関し、より具体的には構造強度の信頼性が高いスライドレールアセンブリに関する。
【背景技術】
【０００２】
特許文献１には、特許文献１の図１及び図１Ａに示すように、固定部（即ち固定レール）及び伸縮部（即ち可動レール）を含むコンピュータサーバ取り付け装置が開示されている。固定部は、各々がブラケットを備える２つの端部を有し、各ブラケットは第１の壁及び第２の壁を有する。各ブラケットの第１の壁は、固定部（即ち固定レール）に平行であり、ブラケットが固定部（即ち固定レール）に対して長手方向に調整（即ち変位）できるように、ねじ付き固定具が貫通するスロットを有する。さらに、特許文献１の図２に示すように、各ブラケットの第２の壁には、ラック構造の対応する開口（即ちラックポスト）にそれぞれ取り付けられるように構成された複数の取り付けフックが設けられている。
【０００３】
特許文献１の図１から分かるように、各ブラケットの第１の壁は固定部（即ち固定レール）の長手壁に平行であり、第１の壁のスロットを通って延びるねじ付き固定具により固定部（即ち固定レール）に接続されている。従って、特許文献１に開示されたブラケットは、固定部（即ち固定レール）の長手壁以外の領域で固定部（即ち固定レール）に効果的な支持を提供しない。
【０００４】
本願の図１及び図２は、スライドレールアセンブリの一部が変形した伸長状態にある従来のスライドレールアセンブリを示す。スライドレールアセンブリは第１のレール１００、第２のレール１０２及び第３のレール１０４を含む。第１のレール１００の前端部１００ａ及び後端部１００ｂは、それぞれ第１のブラケット装置１０６及び第２のブラケット装置１０８を介してラックの第１のポスト１１０及び第２のポスト１２０に取り付けられている。第３のレール１０４は、第１のレール１００に対して第２のレール１０２を長手方向に変位させることができる距離を増やすために、第１のレール１００と第２のレール１０２との間に移動可能に取り付けられる。第２のレール１０２は物体１２２（例えば電子機器又は引き出し）を保持するように構成されている。
【先行技術文献】
【特許文献】
【０００５】
【特許文献１】米国特許第６９４８６９１号明細書
【特許文献２】米国特許第９８４８７０２号明細書
【特許文献３】米国特許第９５０４１８１号明細書
【発明の概要】
【発明が解決しようとする課題】
【０００６】
品質に対する要求を満たすために、スライドレールアセンブリの構造強度を検査する必要がある場合がある。図１及び図２の従来のスライドレールアセンブリを例にとると、外力（例えば第１の力Ｆ１及び／又は第２の力Ｆ２）をスライドレールアセンブリのスライドレール（例えば第２のレール１０２）に異なる方向に加えて、他のスライドレール（例えば第１のレール１００）が横方向にねじれるか又は変形して屈曲１２４が形成するかどうかを確認することができる。とりわけスライドレールアセンブリが過伸長にある場合、例えば、第２のレール１０２の後端１０２ｂが距離Ｘ第１のレール１００の前端部１００ａの前にある場合に、外力はスライドレールアセンブリの第１のレール１００又は第３のレール１０４に対してねじれ又は変形を横方向にもたらし得る。
【０００７】
したがって、構造強度の信頼性が高いスライドレール製品を開発することが重要な課題である。
【０００８】
本発明は、構造強度の高いスライドレールアセンブリを提供する。
【課題を解決するための手段】
【０００９】
本発明の一態様によれば、スライドレールアセンブリは第１のレール、第２のレール及び第１のブラケット装置を含む。第１のレールは第１の壁と、第２の壁と、該第１の壁及び該第２の壁の間に接続される長手壁とを含む。第２のレールは第１のレールに対して変位可能である。第１のブラケット装置は第１のレールに隣接して配置されるとともにブラケットを含む。ブラケットは上壁、下壁、側壁、第１の伸長部及び第２の伸長部を含む。該側壁は該上壁と該下壁との間に接続される。該第１の伸長部は該上壁から延びるとともに該上壁に対して屈曲されるのに対して、該第２の伸長部は該下壁から延びるとともに該下壁に対して屈曲されている。ブラケットの上壁、下壁及び側壁は、第１のレールの第１の壁、第２の壁及び長手壁にそれぞれ位置的に対応する。ブラケットの第１の伸長部及び第２の伸長部は、第１のレールの第１の壁の側面及び前記第１のレールの第２の壁の側面にそれぞれ保持効果をもたらすように構成されている。
【００１０】
スライドレールアセンブリは、第１のレールと第２のレールとの間に可動に取り付けられる第３のレールをさらに含むことが好ましい。
【００１１】
第１のレールは端部を有し、第１のブラケット装置は第１のレールの端部に隣接して配置されることが好ましい。
【００１２】
スライドレールアセンブリは、第１のレールに隣接して配置されるが第１のレールの端部から離れて配置される第２のブラケット装置をさらに含むことが好ましい。
【００１３】
第１のレールの第１の壁、第２の壁及び長手壁は共に通路を定義し、第３のレールは該通路内に取り付けられることが好ましい。スライドレールアセンブリは第１のレールの第１の孔及び第２の孔にそれぞれ配置される第１のブロック部材及び第２のブロック部材をさらに含むことが好ましい。ブラケットの側壁及び上壁の一方が第１の孔を覆い、ブラケットの側壁及び下壁の一方が第２の孔を覆うことが好ましい。
【００１４】
スライドレールアセンブリは、第１のレールに対する第３のレールの変位を支援するために、第１のレールの通路内に配置される第１のボールベースの摺動支援装置及び第２のボールベースの摺動支援装置をさらに含み、第３のレールは第３のブロック部材及び第４のブロック部材を含むことが好ましい。第１のボールベースの摺動支援装置は前端及び後端を含み、第１のボールベースの摺動支援装置の前端及び後端は第１のブロック部材及び第３のブロック部材にそれぞれ位置的に対応し、第２のボールベースの摺動支援装置は前端及び後端を含み、第２のボールベースの摺動支援装置の前端及び後端は、第２のブロック部材及び第４のブロック部材にそれぞれ位置的に対応することが好ましい。
【００１５】
第３のレールは第１の壁と、第２の壁と、第３のレールの第１の壁及び第２の壁の間に接続される長手壁とを含み、第３のブロック部材は第３のレールの第１の壁に配置され、第４のブロック部材は第３のレールの第２の壁に配置されることが好ましい。
【００１６】
第３のレールの第１の壁、第２の壁及び長手壁は共に第２の通路を定義し、第２のレールは第２の通路内に取り付けられることが好ましい。
【００１７】
ブラケットの第１の伸長部は上壁に対して実質的に垂直に屈曲され、ブラケットの第２の伸長部は下壁に対して実質的に垂直に屈曲されていることが好ましい。
【００１８】
ブラケットは端壁及び少なくとも１つの取り付け部材をさらに含むことが好ましい。端壁は側壁に対し実質的に垂直に屈曲されている。少なくとも１つの取り付け部材は端壁に配置され、第１のポストに取り付けられるように構成されている。他方、第２のブラケット装置は第２のポストに取り付けられるように構成されている。
【００１９】
第１のレールは前端部及び後端部を有し、第２のレールも前端部及び後端部を有することが好ましい。第２のレールが第１のレールに対して伸長位置にある場合、第２のレールの後端部は所定の距離第１のレースの前端部の前にある。
【００２０】
第１のブラケット装置は第１のレールの前端部に隣接して配置され、第２のブラケット装置は第１のレールの後端部に隣接して配置されることが好ましい。
【００２１】
ブラケットの上壁、下壁、側壁、第１の伸長部及び第２の伸長部は共に支持通路を定義し、第１のレールの第１の壁、第２の壁及び長手壁はブラケットの支持通路に部分的に囲まれることが好ましい。
【図面の簡単な説明】
【００２２】
【図１】図１はラックに適用され、物体を保持する従来のスライドレールアセンブリの斜視図である。
【図２】図２は、図１の○で囲った領域Ａの拡大図である。
【図３】図３は、本発明の一実施形態に係るスライドレールアセンブリの斜視図であり、スライドレールアセンブリはラックに適用され、物体を保持する。
【図４】図４は、本発明の実施形態に係るスライドレールアセンブリの分解斜視図である。
【図５】図５は、本発明の実施形態に係るスライドレールアセンブリの組立斜視図である。
【図６】図６は、本発明の実施形態に係るスライドレールアセンブリの断面図である。
【図７】図７は、本発明の実施形態に係るスライドレールアセンブリがラックに適用され、物体を保持する状態を示す概略図である。
【図８】図８は、図７の○で囲った領域Ａの拡大図である。
【発明を実施するための形態】
【００２３】
図３を参照して、本発明の一実施形態に係るスライドレールアセンブリは、第１のレール２０、第２のレール２２及び第１のブラケット装置２４を含む。スライドレールアセンブリは第３のレール２６及び第２のブラケット装置２８をさらに含むことが好ましい。
【００２４】
第１のレール２０は、第１のブラケット装置２４及び第２のブラケット装置２８を介してそれぞれラックの第１のポスト３０ａ及び第２のポスト３０ｂに取り付けられる。第３のレール２６は、第２のレール２２が第１のレール２０に対して変位できる距離を増やすために第１のレール２０と第２のレール２２との間に可動に取り付けられる。第２のレール２２は物体３２（例えば電子機器又は引き出し）を保持するように構成されている。
【００２５】
図４及び図５に示すように、第１のレール２０（例えば外側レール）は前端部２０ａ及び後端部２０ｂを有する。第１のレール２０は、第１の壁３４ａと、第２の壁３４ｂと、第１のレール２０の第１の壁３４ａ及び第２の壁３４ｂの間に接続された長手壁３６とを含む。第１のレール２０の第１の壁３４ａ、第２の壁３４ｂ及び長手壁３６は共に、第３のレール２６が取り付けられる第１の通路を定義する。第３のレール２６が第１のレール２０に対して長手方向に変位できる範囲を制限するために、後方ブロック構造３８及び前方ブロック構造４０が第１のレール２０の後端部２０ｂ及び前端部２０ａにそれぞれ隣接して配置されることが好ましい。より具体的には、後方ブロック構造３８は、例えば第１のレール２０の長手壁３６から突出する突起であり、前方ブロック構造４０は一例として第１のブロック部材４０ａ及び第２のブロック部材４０ｂを含む。第１のブロック部材４０ａは、第１のレール２０の第１の壁３４ａ及び／又は長手壁３６の第１の孔Ｈ１に配置され、第２のブロック部材４０ｂは、第１のレール２０の第２の壁３４ｂの及び／又は長手壁３６の第２の孔Ｈ２に配置される。第１のブロック部材４０ａ及び第２のブロック部材４０ｂの双方は突起であり、第１のレール２０の長手壁３６から突出し、第１のブロック部材４０ａ及び第２のブロック部材４０ｂは、それぞれ第１の穴Ｈ１及び第２の孔Ｈ２に受容されて固定されることが好ましい。
【００２６】
第３のレール２６（例えば中間レール）は第１の壁４２ａと、第２の壁４２ｂと、第３のレール２６の第１の壁４２ａ及び第２の壁４２ｂの間に接続された長手壁４４とを含む。第３のレール２６の第１の壁４２ａ、第２の壁４２ｂ及び長手壁４４は共に、第２のレール２２が取り付けられる第２の通路を形成する。第３のレール２６は、第３のブロック部材４６ａ及び第４のブロック部材４６ｂを含むことが好ましい。第３のブロック部材４６ａは、第３のレール２６の第１の壁４２ａに配置され、第４のブロック部材４６ｂは、第３のレール２６の第２の壁４２ｂに配置されることが好ましい。第３のブロック部材４６ａ及び第４のブロック部材４６ｂの双方は突起であり、第３のレール２６の後端部に隣接することが好ましい。
【００２７】
スライドレールアセンブリは、第１のレール２０に対する第３のレール２６の変位の滑らかさを高めるために、第１のレール２０の第１の通路に配置される第１のボールのベースの摺動支援装置４８及び第２のボールのベースの摺動支援装置５０をさらに含むことが好ましい。第２のボールのベースの摺動支援装置５０は、第３のレール２６の第２の壁４２ｂと第１のレール２０の第２の壁３４ｂとの間で支持される複数のボール４９を含む。第１のボールベースの摺動支援装置４８は、第３のレール２６の第１の壁４２ａと第１のレール２０の第１の壁３４ａとの間で支持される複数のボール５１を含む（図６参照）。
【００２８】
第１のボールのベースの摺動支援装置４８は前端４８ａ及び後端４８ｂを含み、第１のボールベースの摺動支援装置４８の前端４８ａ及び後端４８ｂは、第１のブロック部材４０ａ及び第３のブロック部材４６ａにそれぞれ位置的に対応し、第２のボールベースの摺動支援装置５０は前端５０ａ及び後端５０ｂを含み、第２のボールベースの摺動支援装置５０の前端５０ａ及び後端５０ｂは、第２のブロック部材４０ｂ及び第４のブロック部材４６ｂにそれぞれ位置的に対応することが好ましい。
【００２９】
第２のレール２２（例えば内側レール）は、第３のレール２６を介して第１のレール２０に対して変位させることができる。第２のレール２２は前端部２２ａ及び後端部２２ｂを有する。
【００３０】
第１のブラケット装置２４は第１のレール２０に隣接して、例えば第１のレール２０の前端部２０ａに隣接して配置される。スライドレールアセンブリは、第１のレール２０の背面側（即ち第１の通路の反対側）に接続される（例えば固定接続される）補強ベース５２をさらに含むことが好ましい。補強ベース５２は取り付け通路５４を含み、第１のブラケット装置２４はブラケット５６を含むことが好ましく、ブラケット５６は上壁５６ａ、下壁５６ｂ、側壁５８、第１の伸長部６０ａ及び第２の伸長部６０ｂを含む。
【００３１】
側壁５８は上壁５６ａ及び下壁５６ｂの間に接続されている。第１の伸長部６０ａは上壁５６ａから延びるとともに上壁５６ａに対して屈曲され、第２の伸長部６０ｂは下壁５６ｂから延びるとともに下壁５６ｂに対して屈曲されている。
【００３２】
ブラケット５６の側壁５８及び上壁５６ａの一方（例えば上壁５６ａ）は、第１のレール２０の第１の壁３４ａの第１の孔Ｈ１を覆うように構成され、ブラケット５６の側壁５８及び下壁５６ｂの一方（例えば下壁５６ｂ）は、第１のレール２０の第２の壁３４の第２の孔Ｈ２を覆うように構成されている。そのため、第１のレール２０が第１の孔Ｈ１及び第２の孔Ｈ２を有することで、ブラケット５６の上壁５６ａ及び下壁５６ｂの各々が、第１のレール２０の第１の壁３４ａ及び第２の壁３４ｂの対応する１つを支援し、第３のレール２６及び／又は第２のレール２２をより大きな強度で支持する。
【００３３】
ブラケット５６は側壁５８に接続される伸長支持部材６２をさらに含み、伸長支持部材６２を介して補強ベース５２の取り付け通路５４に取り付けられることが好ましい。伸長支持部材６２及び補強ベース５２は、第１の位置制限部６４及び第２の位置制限部６６をそれぞれ有し、２つの位置制限部は互いに位置が対応する。例えば、第２の位置制限部６６は、第１の位置制限部６４をブロックするための突起である。ブラケット５６は、端壁６８及び少なくとも１つの取り付け部材７０をさらに含むことが好ましい。端壁６８は側壁５８に対して実質的に垂直に屈曲されている。少なくとも１つの取り付け部材７０が端壁６８に配置されている。
【００３４】
第２のブラケット装置２８は第１のレール２０に隣接して配置されるが、第１のレール２０の前端部２０ａからは離れている。例えば、第２のブラケット装置２８は、補強ベース５２を介して第１のレール２０の後端部２０ｂに隣接して配置される。第２のブラケット装置２８は、第１のブラケット装置２４と実質的に同一の構造的構成を有することが好ましい。したがって、簡略化のために係る構成についての説明は省略する。
【００３５】
図６に示すように、ブラケット５６の上壁５６ａ、下壁５６ｂ及び側壁５８は、第１のレール２０の第１の壁３４ａ、第２の壁３４ｂ及び長手壁３６にそれぞれ位置的に対応し、ブラケット５６の第１の伸長部６０ａ及び第２の伸長部６０ｂは、第１のレール２０の第１の壁３４ａの側面７２及び第１のレール２０の第２の壁３４ｂの側面７４にそれぞれ隣接するとともに保持効果をもたらす（あるいは単に隣接する）ように構成されている。より具体的には、ブラケット５６の上壁５６ａ、下壁５６ｂ、側壁５８、第１の伸長部６０ａ及び第２の伸長部６０ｂは共に支持通路７５を定義し、第１のレール２０の第１の壁３４ａ、第２の壁３４ｂ及び長手壁３６は、ブラケット５６の支持通路７５内に部分的に囲まれている。即ち、ブラケット５６は、第１のレール２０の第１の壁３４ａ、第２の壁３４ｂ及び長手壁３６の一部を囲む。この構成により、ブラケット５６は、第１のレール２０が外力により横方向にねじれたり変形したりしないように、第１のレール２０を効果的に支持するとともに第１のレール２０の構造的強度を高めることができる。
【００３６】
第１の伸長部６０ａは上壁５６ａから延びるとともに、上壁５６ａに対して第１の方向（例えば下方向）に屈曲され、第２の伸長部６０ｂは下壁５６ｂから延びるとともに、下壁５６ｂに対して第２の方向（例えば上向方向）に屈曲されていることが好ましい。第１の方向及び第２の方向は反対方向であることが好ましい。ブラケット５６の第１の伸長部６０ａは、上壁５６ａに対して実質的に垂直に屈曲され、ブラケット５６の第２の伸長部６０ｂは下壁５６ｂに対して実質的に垂直に屈曲されていることが好ましい。
【００３７】
図７及び図８において、スライドレールアセンブリの第１のレール２０は、第１のブラケット装置２４の少なくとも１つの取り付け部材７０を介して第１のポスト３０ａに取り付けられ、第２のブラケット装置２８の少なくとも１つの取り付け部材７６を介して第２のポスト３０ｂに取り付けられ、スライドレールアセンブリは伸長状態にある。
【００３８】
第２のレール２２が物体３２を保持するか又は第２のレール２２に外力が加えられた場合、ブラケット５６の第１の伸長部６０ａ及び第２の伸長部６０ｂは、第１のレール２０の第１の壁３４ａの側面７２及び第１のレール２０の第２の壁３４ｂの側面７４にそれぞれ保持効果をもたらし（図６も参照）、第１のレール２０を保護する。図７及び図８と図１及び図２とを比較した場合、図８のブラケット５６の第１の伸長部６０ａ及び第２の伸長部６０ｂが、図２の従来のスライドレールアセンブリの第１のレール１００及び／又は第３のレール１０４の横方向のねじれ又は変形を防止するのに用いることができるのが分かる。
【００３９】
引き続き図７及び図８を参照して、第２のレール２２が第１のレール２０に対して開口方向Ｄに長手に変位された後で伸長位置Ｅに達した場合、第２のレール２２の後端部２２ｂは所定の距離Ｙ第１のレール２０の前端部２０ａの前方にある。ブラケット５６が第１のレール２０の第１の壁３４ａ、第２の壁３４ｂ及び長手壁３６を部分的に囲み（図６参照）、この状態で第１のレール２０の支持強度を効果的に高めるため、物体３２（又は外力）が第１のレール２０を横方向にねじれるか又は変形させるのが防止される。
【００４０】
上記から、本発明の前述の実施形態は以下の特徴を有することが好ましいことが分かる。
１）ブラケット５６の第１の伸長部６０ａ及び第２の伸長部６０Ｂは、第１のレール２０の第１の壁３４ａの側面７２及び第１のレール２０の第２の壁３４ｂの側面７４にそれぞれ隣接するとともに保持効果を生じさせることができ、これにより第１のレール２０の構造的強度を高め、横方向の変形を防止することができる。
２）第２のレール２２が伸長位置Ｅに到達した場合（第２のレール２２の後端部２２ｂが所定の距離Ｙ第１のレール２０の前端部２０ａの前にある場合）、第１のレール２０の第１の壁３４ａ、第２の壁３４ｂ及び長手壁３６は、ブラケット５６が第１のレール２０を支持し、第１のレール２０の構造強度を高め、第１のレール２０が外力により横方向にねじれたり変形したりするのを防止するために、ブラケット５６の上壁５６ａ、下壁５６ｂ、側壁５８、第１の伸長部６０ａ及び第２の伸長部６０ｂによって共に定義された支持通路７５に部分的に囲まれる。
【００４１】
上述の好ましい実施形態を通じて本発明を開示してきたが、これらの実施形態は本発明の範囲を限定することを意図したものではないことが分かる。出願人が求める特許の保護範囲は添付の特許請求の範囲によって定義される。
【符号の説明】
【００４２】
２０  第１のレール
２２  第２のレール
２４  第１のブラケット装置
２６  第３のレール
２８  第２のブラケット装置
３０  ポスト
３２  物体
３８  後方ブロック構造
４０  前方ブロック構造
４６  ブロック部材
４８  第１のボールベースの摺動支援装置
５０  第２のボールベースの摺動支援装置
５２  補強ベース
５４  取り付け通路
５６  ブラケット
６２  伸長支持部材
６４  第１の位置制限部
６６  第２の位置制限部
７０、７６  取り付け部材
【図１】
2020185369.tif 000003
【図２】
2020185369.tif 000004
【図３】
2020185369.tif 000005
【図４】
2020185369.tif 000006
【図５】
2020185369.tif 000007
【図６】
2020185369.tif 000008
【図７】
2020185369.tif 000009
【図８】
2020185369.tif 000010